(57)【要約】【課題】安価に構成することができると共に、良好なデータ（画像）品質を安定的に保つことが可能なデータ形成方法及び装置及びデータ形成装置の制御プログラム及び記憶媒体を提供する。【解決手段】ＣＰＵ２０１のＰＷＭポートから出力されるＰＷＭ信号と、ローパスフィルタ２３８との組み合わせにより、高圧交流電圧を出力する。【選択図】　　　図２
2004101915.tif 000002
【特許請求の範囲】
【請求項１】
ＰＷＭ（ｐｕｌｓｅ　　ｗｉｄｔｈ　ｍｏｄｕｌａｔｉｏｎ；パルス幅変調）信号を出力するＰＷＭ信号出力ステップと、信号波形を整形する波形整形ステップと、高電圧を発生する高電圧発生ステップとを具備して成り、
前記ＰＷＭ信号出力ステップにより出力されるＰＷＭ信号により前記波形整形ステップで高電圧交流出力の周波数に波形整形を行ない、前記高電圧発生ステップにより高圧交流電圧を出力することを特徴とするデータ形成方法。
【請求項２】
被帯電部材の表面に設けられた帯電部材に交流電圧を印加する交流電圧印加ステップと、前記交流電圧を生成するための周波数基準信号をＰＷＭ（ｐｕｌｓｅ　　ｗｉｄｔｈ　ｍｏｄｕｌａｔｉｏｎ；パルス幅変調）出力するように制御する制御ステップとを具備したことを特徴とするデータ形成方法。
【請求項３】
被帯電部材の表面に設けられた帯電部材に交流電圧を印加する交流電圧印加ステップと、前記交流電圧を生成するための周波数基準信号をＰＷＭ（ｐｕｌｓｅ　　ｗｉｄｔｈ　ｍｏｄｕｌａｔｉｏｎ；パルス幅変調）出力するように制御する制御ステップと、前記ＰＷＭ出力を正弦波信号に変換する変換ステップとを具備したことを特徴とするデータ形成方法。
【請求項４】
前記変換ステップは、ローパスフィルタにより変換することを特徴とする請求項３に記載のデータ形成方法。
【請求項５】
前記交流電圧の周波数を複数としたことを特徴とする請求項２または３に記載のデータ形成方法。
【請求項６】
被帯電部材の表面に設けられた帯電部材に交流電圧を印加する交流電圧印加ステップと、前記交流電圧の正弦波を複数に時分割する時分割ステップと、該時分割ステップにより分割されたそれぞれの時刻での電圧値がＰＷＭ（ｐｕｌｓｅ　　ｗｉｄｔｈ　ｍｏｄｕｌａｔｉｏｎ；パルス幅変調）値となるように制御する制御ステップとを具備したことを特徴とするデータ形成方法。
【請求項７】
前記帯電部材に正弦波交流電圧を印加する正弦波交流電圧印加ステップを具備したことを特徴とする請求項２乃至６のいずれかに記載のデータ形成方法。
【請求項８】
前記正弦波交流電圧生成用の周波数基準信号を周波数基準信号生成手段により生成する周波数基準信号生成ステップを具備したことを特徴とする請求項７に記載のデータ形成方法。
【請求項９】
前記周波数基準信号生成手段を複数有することを特徴とする請求項８に記載のデータ形成方法。
【請求項１０】
前記周波数基準信号生成手段を最も長い周期の周波数基準信号生成手段とし、短い周期の周波数を生成する場合には、この周波数基準信号生成手段から選択使用することを特徴とする請求項８または９に記載のデータ形成方法。
【請求項１１】
前記周波数数基準信号生成手段は、データテーブルであることを特徴とする請求項８乃至１０のいずれかに記載のデータ形成方法。
【請求項１２】
前記帯電部材を複数有し、これら複数の帯電部材に印加される交流電圧の制御を各帯電部材毎に独立して行なうことを特徴とする請求項２乃至１１のいずれかに記載のデータ形成方法。
【請求項１３】
前記被帯電部材は、感光体であることを特徴とする請求項２乃至１２のいずれかに記載のデータ形成方法。
【請求項１４】
前記感光体は、感光ドラムであることを特徴とする請求項１３に記載のデータ形成方法。
【請求項１５】
前記帯電部材として、前記被帯電部材に当接させたローラ帯電部材を用いたことを特徴とする請求項２乃至１４のいずれかに記載のデータ形成方法。
【請求項１６】
単一或いは複数周波数の交流正弦波高圧出力を制御する交流正弦波高圧出力制御ステップを具備したことを特徴とする請求項２乃至１５のいずれかに記載のデータ形成方法。
【請求項１７】
ＰＷＭ（ｐｕｌｓｅ　　ｗｉｄｔｈ　ｍｏｄｕｌａｔｉｏｎ；パルス幅変調）信号を出力するＰＷＭ信号出力手段と、信号波形を整形する波形整形手段と、高電圧を発生する高電圧発生手段とを具備して成り、
前記ＰＷＭ信号出力手段から出力されるＰＷＭ信号により前記波形整形手段で高電圧交流出力の周波数に波形整形を行ない、前記高電圧発生手段により高圧交流電圧を出力することを特徴とするデータ形成装置。
【請求項１８】
被帯電部材の表面に設けられた帯電部材に交流電圧を印加する交流電圧印加手段と、前記交流電圧を生成するための周波数基準信号をＰＷＭ（ｐｕｌｓｅ　　ｗｉｄｔｈ　ｍｏｄｕｌａｔｉｏｎ；パルス幅変調）出力するように制御する制御手段とを具備したことを特徴とするデータ形成装置。
【請求項１９】
被帯電部材の表面に設けられた帯電部材に交流電圧を印加する交流電圧印加手段と、前記交流電圧を生成するための周波数基準信号をＰＷＭ（ｐｕｌｓｅ　　ｗｉｄｔｈ　ｍｏｄｕｌａｔｉｏｎ；パルス幅変調）出力するように制御する制御手段と、前記ＰＷＭ出力を正弦波信号に変換する信号変換手段とを具備したことを特徴とするデータ形成装置。
【請求項２０】
前記変換手段は、ローパスフィルタであることを特徴とする請求項１８に記載のデータ形成装置。
【請求項２１】
前記交流電圧の周波数を複数としたことを特徴とする請求項１８または１９に記載のデータ形成装置。
【請求項２２】
被帯電部材の表面に設けられた帯電部材に交流電圧を印加する交流電圧印加手段と、前記交流電圧の正弦波を複数に時分割する時分割手段と、該時分割手段により分割されたそれぞれの時刻での電圧値がＰＷＭ（ｐｕｌｓｅ　ｗｉｄｔｈ　ｍｏｄｕｌａｔｉｏｎ；パルス幅変調）値となるように制御する制御手段とを具備したことを特徴とするデータ形成装置。
【請求項２３】
前記帯電部材に正弦波交流電圧を印加する正弦波交流電圧印加手段を具備したことを特徴とする請求項１８乃至２２のいずれかに記載のデータ形成装置。
【請求項２４】
前記正弦波交流電圧生成用の周波数基準信号を生成する周波数基準信号生成手段を具備したことを特徴とする請求項２３に記載のデータ形成装置。
【請求項２５】
前記周波数基準信号生成手段を複数有することを特徴とする請求項２４に記載のデータ形成装置。
【請求項２６】
前記周波数基準信号生成手段を最も長い周期の周波数基準信号生成手段とし、短い周期の周波数を生成する場合には、この周波数基準信号生成手段から選択使用することを特徴とする請求項２４または２５に記載のデータ形成装置。
【請求項２７】
前記周波数数基準信号生成手段は、データテーブルであることを特徴とする請求項２４乃至２６のいずれかに記載のデータ形成装置。
【請求項２８】
前記帯電部材を複数有し、これら複数の帯電部材に印加される交流電圧の制御を各帯電部材毎に独立して行なうことを特徴とする請求項１８乃至２７のいずれかに記載のデータ形成装置。
【請求項２９】
前記被帯電部材は、感光体であることを特徴とする請求項１８乃至２８のいずれかに記載のデータ形成装置。
【請求項３０】
前記感光体は、感光ドラムであることを特徴とする請求項２９に記載のデータ形成装置。
【請求項３１】
前記帯電部材として、前記被帯電部材に当接させたローラ帯電部材を用いたことを特徴とする請求項１８乃至３０のいずれかに記載のデータ形成装置。
【請求項３２】
単一或いは複数周波数の交流正弦波高圧出力を制御する交流正弦波高圧出力制御手段を具備したことを特徴とする請求項１８乃至３１のいずれかに記載のデータ形成装置。
【請求項３３】
前記データ形成装置は、電子写真装置であることを特徴とする請求項１７乃至３２のいずれかに記載のデータ形成装置。
【請求項３４】
データ形成装置を制御するためのコンピュータ読み取り可能な制御プログラムであって、
ＰＷＭ（ｐｕｌｓｅ　　ｗｉｄｔｈ　ｍｏｄｕｌａｔｉｏｎ；パルス幅変調）信号を出力するＰＷＭ信号出力ステップと、信号波形を整形する波形整形ステップと、高電圧を発生する高電圧発生ステップとをコンピュータに実行させるためのプログラムコードから成り、
前記ＰＷＭ信号出力ステップにより出力されるＰＷＭ信号により前記波形整形ステップで高電圧交流出力の周波数に波形整形を行ない、前記高電圧発生ステップにより高圧交流電圧を出力することを特徴とするデータ形成装置の制御プログラム。
【請求項３５】
データ形成装置を制御するためのコンピュータ読み取り可能な制御プログラムであって、
被帯電部材の表面に設けられた帯電部材に交流電圧を印加する交流電圧印加ステップと、前記交流電圧を生成するための周波数基準信号をＰＷＭ（ｐｕｌｓｅ　　ｗｉｄｔｈ　ｍｏｄｕｌａｔｉｏｎ；パルス幅変調）出力するように制御する制御ステップとをコンピュータに実行させるためのプログラムコードから成ることを特徴とするデータ形成装置の制御プログラム。
【請求項３６】
データ形成装置を制御するためのコンピュータ読み取り可能な制御プログラムであって、
被帯電部材の表面に設けられた帯電部材に交流電圧を印加する交流電圧印加ステップと、前記交流電圧を生成するための周波数基準信号をＰＷＭ（ｐｕｌｓｅ　　ｗｉｄｔｈ　ｍｏｄｕｌａｔｉｏｎ；パルス幅変調）出力するように制御する制御ステップと、前記ＰＷＭ出力を正弦波信号に変換する変換ステップとをコンピュータに実行させるためのプログラムコードから成ることを特徴とするデータ形成装置の制御プログラム。
【請求項３７】
請求項３４乃至３６に記載の制御プログラムを格納したことを特徴とする記憶媒体。
【発明の詳細な説明】
【０００１】
【発明の属する技術分野】
本発明は、電子写真装置等のデータ形成装置及びこのデータ形成装置によりデータを形成するデータ形成方法及びこのデータ形成装置を制御するための制御プログラム及びこの制御プログラムを格納した記憶媒体に関する。
【０００２】
【従来の技術】
図６は、従来のデータ形成装置である電子写真装置における高圧電源部の制御回路構成を示すブロック図である。
【０００３】
図６において、６０１はＣＰＵ（中央演算処理装置）またはＡＳＩＣ（特定用途向け集積回路）であり、以下、ＣＰＵとして説明する。ＣＰＵ６０１から帯電高圧ＡＣ周波数を持つ矩形波クロック（ＦｒｑＣＬＫ）ポートから矩形波クロックＦｒｑＣＬＫが出力され、このＦｒｑＣＬＫポートはトランジスタ６０５のベースに接続されている。このトランジスタ６０５のエミッタは接地されており、また、このトランジスタ６０５のコレクタには、出力電圧制御のためのオペアンプ６０２の出力端子が抵抗６０４を介して接続されている。また、トランジスタ６０５のコレクタは、コンデンサ６０６を介してバンドパスフィルタ（ＢＰＦ）６０７，６０９，６１１に接続されている。
【０００４】
第１のバンドパスフィルタ（ＢＰＦ）６０７は、１００％周波数に対応した矩形波を正弦波に波形整形するフィルタであり、第２のバンドパスフィルタ（ＢＰＦ）６０９は、５０％周波数に対応したフィルタであり、第３のバンドパスフィルタ（ＢＰＦ）６１１は、２５％周波数に対応したフィルタであり、対応していない周波数に関しては、それぞれフィルタの減衰特性が急峻なために略接地電位となる。
【０００５】
しかし、確実に接地電位とするために、それぞれのフィルタ６０７，６０９，６１１の出力にトランジスタ６１３，６１４，６１５が接続されている。例えば、１００％周波数の場合には、１００％周波数に対応した矩形波がＣＰＵ６０１から出力され、１００％周波数対応バンドパスフィルタ６０７により正弦波に整形されて出力される。このとき、５０％周波数及び２５％周波数に対応したバンドパスフィルタ６０９，６１１の出力は接地となる。
【０００６】
しかし、更に確実に接地電位に確定するために、ＣＰＵ６０１からトランジスタ６１３，６１４をオンさせるように信号を出力する。
【０００７】
このような動作により、１００％周波数の正弦波信号のみダイオード６０８を介してドライバ部６４２に入力される。このドライバ部６４２は、抵抗６１７，６２２，６２６，６２７、コンデンサ６２３，６２４、ダイオード６１８，６１９，６２０，６２１、トランジスタ６２５，６２８により構成される。このドライバ部６４２の出力は、コンデンサ６２９を介して高圧トランス６３０の一方の入力端子に入力される。
【０００８】
高圧トランス６３０の他方の入力端子は接地されている。また、高圧トランス６３０の一方の出力端子は、抵抗６３１を介してＤＣ高圧発生回路６３２に接続されている。また、高圧トランス６３０の他方の出力端子は、サージ抵抗６３８を介して帯電ローラ６３９に接続され、この帯電ローラ６３９が当接している感光ドラム６４０を均一な電位に帯電するようになっている。また、高圧トランス６３０の他方の出力端子には、入力電圧と高圧トランス６３０の巻数比に相当した比率で昇圧された交流正弦波高圧出力が発生する。
【０００９】
５０％周波数及び２５％周波数で高圧トランス６３０を駆動する場合には、それぞれに対応したトランジスタ６１４，６１３をオン／オフすること及びバンドパスフィルタ６０７，６０９，６１１の出力をダイオード６０８，６１０，６１２でアナログＯＲをとることにより実現できる。
【００１０】
また、高圧トランス６３０の他方の出力端子からの出力は、高圧コンデンサ６３３を介して高圧出力電圧検出部６５０に入力される。この高圧出力電圧検出部６５０は、高圧抵抗６３７，６４１、コンデンサ６３６、ダイオード６３４，６３５により構成されている。高圧出力電圧検出部６５０は、高圧トランス６３０の交流出力電圧のピークｔｏピーク電圧を整流して直流電圧化し、高圧抵抗６３７，６４１により分圧して高圧出力電圧を検出する。高圧出力電圧検出部６５０により検出された検出電圧は、オペアンプ６０２の反転入力端子に入力される。該オペアンプ６０２の非反転入力端子は、ＣＰＵ６０１の電圧制御出力端子ＶＣＮＴに接続されている。オペアンプ６０２の反転入力端子と出力端子との間には、コンデンサ６０３が介装されている。
【００１１】
尚、図６において、６１６はコンデンサで、バンドパスフィルタ６０７，６０９，６１１の出力端子に接続されたダイオード６０８，６１０，６１２の出力側とドライバ部６４２のダイオード６１９，６２０の接続部間との間に介装されている。
【００１２】
また、トランジスタ６１３，６１４，６１５のベースは、それぞれＣＰＵ６０１のＥｎｂＣ端子、ＥｎｂＢ端子、ＥｎｂＡ端子に接続されている。
【００１３】
図７は、各部の波形を示す図であり、同図（ａ），（ｂ），（ｃ）は、１００％周波数動作時の各バンドパスフィルタ６０７，６０９，６１１の各出力（１００％、５０％、２５％）を、図７（ｄ）は、高圧トランス６３０の出力ＨＶｏｕｔを、それぞれ示す。
【００１４】
【発明が解決しようとする課題】
しかしながら、上記従来例では、帯電ＡＣ高圧の周波数を複数から選択使用する場合に、各周波数に対応したバンドパスフィルタ、イネーブル用トランジスタ、アナログＯＲ用ダイオードがそれぞれ必要となり、装置自体のコストアップにつながってしまう。
【００１５】
また、周波数を変更せずに同一周波数で帯電すると、良好な画像品質を安定的に保つことが困難である。
【００１６】
本発明は、上記事情に鑑みてなされたものであり、その目的は、安価に構成することができると共に、良好なデータ（画像）品質を安定的に保つことが可能なデータ形成方法及び装置及びデータ形成装置の制御プログラム及び記憶媒体を提供することである。
【００１７】
【課題を解決するための手段】
上記目的を達成するために、本発明のデータ形成方法は、ＰＷＭ（ｐｕｌｓｅ　　ｗｉｄｔｈ　ｍｏｄｕｌａｔｉｏｎ；パルス幅変調）信号を出力するＰＷＭ信号出力ステップと、信号波形を整形する波形整形ステップと、高電圧を発生する高電圧発生ステップとを具備して成り、前記ＰＷＭ信号出力ステップにより出力されるＰＷＭ信号により前記波形整形ステップで高電圧交流出力の周波数に波形整形を行ない、前記高電圧発生ステップにより高圧交流電圧を出力することを特徴とする。
【００１８】
また、上記目的を達成するために、本発明のデータ形成方法は、被帯電部材の表面に設けられた帯電部材に交流電圧を印加する交流電圧印加ステップと、前記交流電圧を生成するための周波数基準信号をＰＷＭ（ｐｕｌｓｅ　　ｗｉｄｔｈ　ｍｏｄｕｌａｔｉｏｎ；パルス幅変調）出力するように制御する制御ステップとを具備したことを特徴とする。
【００１９】
また、上記目的を達成するために、本発明のデータ形成方法は、被帯電部材の表面に設けられた帯電部材に交流電圧を印加する交流電圧印加ステップと、前記交流電圧を生成するための周波数基準信号をＰＷＭ（ｐｕｌｓｅ　　ｗｉｄｔｈ　ｍｏｄｕｌａｔｉｏｎ；パルス幅変調）出力するように制御する制御ステップと、前記ＰＷＭ出力を正弦波信号に変換する変換ステップとを具備したことを特徴とする。
【００２０】
また、上記目的を達成するために、本発明のデータ形成方法は、被帯電部材の表面に設けられた帯電部材に交流電圧を印加する交流電圧印加ステップと、前記交流電圧の正弦波を複数に時分割する時分割ステップと、該時分割ステップにより分割されたそれぞれの時刻での電圧値がＰＷＭ（ｐｕｌｓｅ　　ｗｉｄｔｈ　ｍｏｄｕｌａｔｉｏｎ；パルス幅変調）値となるように制御する制御ステップとを具備したことを特徴とする。
【００２１】
また、上記目的を達成するために、本発明のデータ形成装置は、ＰＷＭ（ｐｕｌｓｅ　　ｗｉｄｔｈ　ｍｏｄｕｌａｔｉｏｎ；パルス幅変調）信号を出力するＰＷＭ信号出力手段と、信号波形を整形する波形整形手段と、高電圧を発生する高電圧発生手段とを具備して成り、前記ＰＷＭ信号出力手段から出力されるＰＷＭ信号により前記波形整形手段で高電圧交流出力の周波数に波形整形を行ない、前記高電圧発生手段により高圧交流電圧を出力することを特徴とする。
【００２２】
また、上記目的を達成するために、本発明のデータ形成装置は、被帯電部材の表面に設けられた帯電部材に交流電圧を印加する交流電圧印加手段と、前記交流電圧を生成するための周波数基準信号をＰＷＭ（ｐｕｌｓｅ　　ｗｉｄｔｈ　ｍｏｄｕｌａｔｉｏｎ；パルス幅変調）出力するように制御する制御手段とを具備したことを特徴とする。
【００２３】
また、上記目的を達成するために、本発明のデータ形成装置は、被帯電部材の表面に設けられた帯電部材に交流電圧を印加する交流電圧印加手段と、前記交流電圧を生成するための周波数基準信号をＰＷＭ（ｐｕｌｓｅ　　ｗｉｄｔｈ　ｍｏｄｕｌａｔｉｏｎ；パルス幅変調）出力するように制御する制御手段と、前記ＰＷＭ出力を正弦波信号に変換する信号変換手段とを具備したことを特徴とする。
【００２４】
また、上記目的を達成するために、本発明のデータ形成装置は、被帯電部材の表面に設けられた帯電部材に交流電圧を印加する交流電圧印加手段と、前記交流電圧の正弦波を複数に時分割する時分割手段と、該時分割手段により分割されたそれぞれの時刻での電圧値がＰＷＭ（ｐｕｌｓｅ　　ｗｉｄｔｈ　ｍｏｄｕｌａｔｉｏｎ；パルス幅変調）値となるように制御する制御手段とを具備したことを特徴とする。
【００２５】
また、上記目的を達成するために、本発明のデータ形成装置の制御プログラムは、データ形成装置を制御するためのコンピュータ読み取り可能な制御プログラムであって、ＰＷＭ（ｐｕｌｓｅ　　ｗｉｄｔｈ　ｍｏｄｕｌａｔｉｏｎ；パルス幅変調）信号を出力するＰＷＭ信号出力ステップと、信号波形を整形する波形整形ステップと、高電圧を発生する高電圧発生ステップとをコンピュータに実行させるためのプログラムコードから成り、前記ＰＷＭ信号出力ステップにより出力されるＰＷＭ信号により前記波形整形ステップで高電圧交流出力の周波数に波形整形を行ない、前記高電圧発生ステップにより高圧交流電圧を出力することを特徴とする。
【００２６】
また、上記目的を達成するために、本発明のデータ形成装置の制御プログラムは、データ形成装置を制御するためのコンピュータ読み取り可能な制御プログラムであって、被帯電部材の表面に設けられた帯電部材に交流電圧を印加する交流電圧印加ステップと、前記交流電圧を生成するための周波数基準信号をＰＷＭ（ｐｕｌｓｅ　　ｗｉｄｔｈ　ｍｏｄｕｌａｔｉｏｎ；パルス幅変調）出力するように制御する制御ステップとをコンピュータに実行させるためのプログラムコードから成ることを特徴とする。
【００２７】
また、上記目的を達成するために、本発明のデータ形成装置の制御プログラムは、データ形成装置を制御するためのコンピュータ読み取り可能な制御プログラムであって、被帯電部材の表面に設けられた帯電部材に交流電圧を印加する交流電圧印加ステップと、前記交流電圧を生成するための周波数基準信号をＰＷＭ（ｐｕｌｓｅ　　ｗｉｄｔｈ　ｍｏｄｕｌａｔｉｏｎ；パルス幅変調）出力するように制御する制御ステップと、前記ＰＷＭ出力を正弦波信号に変換する変換ステップとをコンピュータに実行させるためのプログラムコードから成ることを特徴とする。
【００２８】
更に、上記目的を達成するために、本発明の記憶媒体は、前記制御プログラムを格納したことを特徴とする。
【００２９】
【発明の実施の形態】
以下、本発明の各実施の形態を図１〜図５に基づき説明する。
【００３０】
（第１の実施形態）
まず、本発明の第１の実施形態を図１〜図３に基づき説明する。
【００３１】
図１は、本発明の第１の実施形態に係るデータ形成装置であるインラインカラー機（電子写真装置）の概略構成を示す図である。
【００３２】
図１において、データ形成装置のコントローラ部（不図示）は、不図示のホストコンピュータ等（以下、ＰＣと記述する）により作成される、ある特定の記述言語により記述された信号を受信し、データ形成装置本体の各色Ｙ（イエロー）、Ｍ（マゼンダ）、Ｃ（シアン）、Ｋ（ブラック）に対応した光学ユニット１１１Ｙ，１１１Ｍ，１１１Ｃ，１１１Ｋにより、潜像を作成するための信号処理を各色毎に行ない、露光光学ユニット１１０Ｙ，１１０Ｍ，１１０Ｃ，１１０Ｋに信号を送信する。
【００３３】
露光光学ユニット１１０Ｙ，１１０Ｍ，１１０Ｃ，１１０Ｋでは、電気信号を光信号に変換した後、高速度で回転するポリゴンモータ（不図示）に取り付けられたポリゴンミラー（不図示）に照射する。そして、前記ポリゴンミラーにより反射された光信号は、反射ミラーにより各色Ｙ（イエロー）、Ｍ（マゼンダ）、Ｃ（シアン）、Ｋ（ブラック）に対応した感光ドラム１０５Ｙ，１０５Ｍ，１０５Ｃ，１０５Ｋの表面に照射される。
【００３４】
感光ドラム１０５Ｙ，１０５Ｍ，１０５Ｃ，１０５Ｋは、制御部１００により制御される高圧電源部１００ａにより制御された電圧値にて、各色Ｙ（イエロー）、Ｍ（マゼンダ）、Ｃ（シアン）、Ｋ（ブラック）に対応した帯電器（注入帯電器）１０７Ｙ，１０７Ｍ，１０７Ｃ，１０７Ｋに内蔵されている帯電ローラ（注入スリーブ）１０７ＹＳ，１０７ＭＳ，１０７ＣＳ，１０７ＫＳにより一定電位に均一に帯電されている。そして、光照射を受けることにより、該光照射を受けた部位のみの電位が変化することで、感光ドラム１０５Ｙ，１０５Ｍ，１０５Ｃ，１０５Ｋの上に静電潜像が形成される。
【００３５】
各色Ｙ（イエロー）、Ｍ（マゼンダ）、Ｃ（シアン）、Ｋ（ブラック）に対応した現像器１０８Ｙ，１０８Ｍ，１０８Ｃ，１０８Ｋには、現像スリーブ１０８ＹＳ，１０８ＭＳ，１０８ＣＳ，１０８ＫＳ及び現像剤があり、感光ドラム１０５Ｙ，１０５Ｍ，１０５Ｃ，１０５Ｋの上に形成された静電潜像に従い現像スリーブ１０８ＹＳ，１０８ＭＳ，１０８ＣＳ，１０８ＫＳにより現像剤中、トナーのみが感光ドラム１０５Ｙ，１０５Ｍ，１０５Ｃ，１０５Ｋに付着して画像として具現化される。
【００３６】
この中間転写体１１２は駆動ローラ１１８で駆動され、多数のガイドローラに沿って図中時計回り方向に回転するものである。
【００３７】
感光ドラム１０５Ｙ，１０５Ｍ，１０５Ｃ，１０５Ｋの上に画像として具現化されて可視像化されたトナー像は、高圧電源部１００ａにより制御された転写バイアスを印加されている中間転写体１１２に、転写体としての転写部材１０５Ｙａ，１０５Ｍａ，１０５Ｃａ，１０５Ｋａで転写される。中間転写体１１２は駆動ローラ１１８で駆動され、多数のガイドローラに沿って図中時計回り方向に回転するものである。
【００３８】
この中間転写体１１２に転写されたトナー像は、更に、収納部（給紙カセット）１０１に収納された紙、ＯＨＴフィルム等に代表される記録部材１０２或いは手差し給紙台１０３から送り出された記録部材１０４に、ベルト、ドラム等の転写部材１０９ａ（不使用時は図中点線位置１０９ｂに移動している。）で転写され、定着ユニット１１３により永久定着された後、データ形成装置の外部へ排出される。
【００３９】
尚、図示例の定着ユニット１１３は、ヒータ１１６を内蔵した定着ローラ１１４と、ヒータ１１７を内蔵した加圧ローラ１１５とを有する。１１９は転写部材１０９ａの直前における記録部材を検出する記録部材検出レバー、１２０は定着ユニット１１３から排出された記録部材の後端を検出する記録部材後端検出レバー、１２３，１２４は記録部材の搬走路に設けた規制板であり、ヒータ１２２で加熱して記録部材の皺取り等を行なうものである。
【００４０】
また、図１において、１０６は画像濃度制御を行なうために設けられた画像濃度センサで、駆動ローラ１１８の近傍に設けられている。また、１２１は中間転写体１１２をクリーニングするクリーナである。
【００４１】
次に、上述のように構成された本実施の形態に係るデータ形成装置の動作を、図２を用いて説明する。
【００４２】
図２は、本実施形態に係るデータ形成装置であるインラインカラー機（電子写真装置）の１色（１ステーション）の高圧電源部１００ａの制御回路構成を示すブロック図である。
【００４３】
図２において、２０１はＣＰＵ（中央演算処理装置）またはＡＳＩＣ（特定用途向け集積回路）であり、以下、ＣＰＵとして説明する。ＣＰＵ２０１のＰＷＭ（ｐｕｌｓｅ　　ｗｉｄｔｈ　ｍｏｄｕｌａｔｉｏｎ；パルス幅変調）ポートからは、後述する帯電ローラ２３６に印加する高圧交流出力の周波数に相当する周波数の信号が出力され、トランジスタ２０５のベースに接続される。このトランジスタ２０５のエミッタは接地され、また、このトランジスタ２０５のコレクタはオペアンプ２０２の出力端子に出力制限抵抗２０４を介して接続されている。また、トランジスタ２０５のコレクタの出力は、更に二次のローパスフィルタ２３８に入力される。
【００４４】
このローパスフィルタ２３８は、抵抗２０６，２０７，２１１，２１２、コンデンサ２０８，２０９、オペアンプ２１０により構成されている。ローパスフィルタ２３８は、抵抗２１１，２１２により増幅度を持たせてあり、周波数によるフィルタの減衰特性を補足するように設定されている。ローパスフィルタ２３８の出力は、コンデンサ２１３を介してドライバ部２３９に入力される。このドライバ部２３９は、抵抗２１４，２１９，２２３，２２４、コンデンサ２２０，２２１、ダイオード２１５，２１６，２１７，２１８、トランジスタ２２２，２２５により構成されている。
【００４５】
高圧トランス２２７の一方の入力端子には、コンデンサ２２６を介してドライバ部２３９の出力端子が接続されている。また、高圧トランス２２７の他方の入力端子は接地されている。このような接続により、高圧トランス２２７の一方の出力端子には、ＣＰＵ２０１のＰＷＭ出力端子から出力されたＰＷＭ信号がローパスフィルタ２３８により正弦波とされた後、ドライバ部２３９により電圧変換され、更に高圧トランス２２７により昇圧されて正弦波高電圧が現れる。
【００４６】
また、高圧トランス２２７の一方の出力端子は、サージ保護抵抗２２８を介して帯電ローラ２３６に接続され、この帯電ローラ２３６が当接している感光ドラム２３７を均一な電位に帯電する。また、高圧トランス２２７の一方の出力端子からの出力は、高圧コンデンサ２３１を介して高圧出力電圧検出部２４０に入力される。高圧トランス２２７の他方の出力端子は、抵抗２２９を介してＤＣ高圧電圧発生回路２３０に接続されている。
【００４７】
高圧出力電圧検出部２４０は、抵抗２３５，２４１、コンデンサ２３４、ダイオード２３２，２３３により構成されている。高圧出力電圧検出部２４０は、高圧トランス２２７の交流出力電圧のピークｔｏピーク電圧を整流して直流電圧化し、高圧抵抗２３５及び抵抗２４１により分圧して高圧出力電圧を検出する。高圧出力電圧検出部２４０により検出された検出電圧は、オペアンプ２０２の反転入力端子に入力される。
【００４８】
このオペアンプ２０２の非反転入力端子は、ＣＰＵ２０１の電圧制御出力（ＶＣＮＴ）端子に接続されている。また、オペアンプ２０２の反転入力端子と出力端子との間にはコンデンサ２０３が介装されている。オペアンプ２０２は、電圧制御出力ＶＣＮＴの値と高圧出力電圧検出部２４０の出力電圧とが同じになるように出力電圧を可変する。
【００４９】
次に、ローパスフィルタ２３８の動作について、図３を用いて説明する。
【００５０】
図３は、ＣＰＵ２０１のＰＷＭポートから出力されるＰＷＭ信号と、オペアンプ２１０の出力電圧Ｖｏの波形を示す図である。
【００５１】
ＣＰＵ２０１のＰＷＭポートから出力されるＰＷＭ信号は、図３中、ＣＬＫａｃで示す通り、特定周期の信号をＰＷＭ変調した信号を繰り返し出力するものとする。この繰り返し周波数が高圧トランス２２７の交流電圧出力の周波数となる。この繰り返し周波数及びＰＷＭ変調のデータはＣＰＵ２０１のＲＯＭ（リードオンリーメモリ）エリアに予め記述されていて、それぞれ１００％周波数データ、５０％周波数データ、２５％周波数データが格納されている。
【００５２】
１００％周波数時の前記ＰＷＭポートから出力されるＰＷＭ信号の繰り返し周波数を１ＫＨｚとすると、５０％周波数時の前記ＰＷＭポートから出力されるＰＷＭ信号の繰り返し周波数は５００Ｈｚ、２５％周波数時の前記ＰＷＭポートから出力されるＰＷＭ信号の繰り返し周波数は２５０Ｈｚとなる。
【００５３】
図３では、前記ＰＷＭポートから出力されるＰＷＭ信号の繰り返し周波数を３０分割した値をＰＷＭの１ユニットとしているが、実際には、必要なＡＣ周波数及び二次のローパスフィルタ２３８の構成や高圧トランス２２７の出力特性により可変する。
【００５４】
図３に示すように１周期を３０分割したＰＷＭ信号をＣＰＵ２０１のＰＷＭポートから出力し、二次のローパスフィルタ２３８により波形整形され、ドライバ２３９により電圧変換されて高圧トランス２２７に入力される。ここで、このＶｏ周波数を１ＫＨｚとした場合、周波数を５００Ｈｚにする場合には、ＰＷＭの１ユニットは変えずに１周期を６０分割し、また、周波数を２５０Ｈｚにする場合には、ＰＷＭの１ユニットは変えずに１周期を９０分割する。
【００５５】
このような設定を行なうことにより、二次のローパスフィルタ２３８のカットオフ周波数を一定にできると同時に、１００％周波数時の高圧トランス２２７の出力波形が所望の波形になるように二次のローパスフィルタ２３８の各部品定数を設定すれば、５０％周波数時及び２５％周波数時においても高圧トランス２２７の波形が歪むことなく出力される。
【００５６】
以上のように本実施の形態に係るデータ形成装置によれば、従来例のように所望の周波数の矩形信号を出力してバンドパスフィルタにより正弦波として高圧交流出力を生成していたものを、ＰＷＭ信号と簡素な構成のローパスフィルタとの組み合わせにより実現することができ、また、周波数を可変する場合においては、ＰＷＭ信号の繰り返し周期を変更するだけで簡単に対応することができ、更に、どのような周波数に対してもフィルタ回路の構成部品の定数を変えることなく対応することができるため、安価で且つ汎用性に優れ、しかもデータ（画像）品質を損なうことがない。
【００５７】
（第２の実施形態）
次に、本発明の第２の実施形態を図４及び図５に基づき説明する。
【００５８】
尚、本実施の形態に係るデータ形成装置であるインラインカラー機（電子写真装置）の基本的な構成は、上述した第１の実施形態における図１と同一であるから、同図を流用して説明する。
【００５９】
図４は、本実施形態に係るデータ形成装置であるインラインカラー機〔電子写真装置〕の１色（１ステーション）の高圧電源部１００ａの制御回路構成を示すブロック図であり、同図において、上述した第１の実施形態における図２と同一部分には同一符号が付してある。
【００６０】
本実施の形態に係るデータ形成装置における高圧電源部１００ａの制御回路構成で、上述した第１の実施形態に係るデータ形成装置における高圧電源部１００ａの制御回路構成と異なる点は、高圧出力生成部である。即ち、本実施形態においては、交流高圧出力を生成する高圧トランスを使用せずに、直流高圧を発生するインバータトランスを用いたものである。
【００６１】
図４において、ローパスフィルタ２３８、高圧出力電圧検出部２４０及び出力電圧制御信号と高圧出力電圧検出部２４０の出力とを比較して、交流高圧電圧を制御する働きをするオペアンプ２０２の動作は、上述した第１の実施の形態と同一であるから、その説明は省略する。
【００６２】
図４において、４０１はＣＰＵ（中央演算処理装置）またはＡＳＩＣ（特定用途向け集積回路）であり、以下、ＣＰＵとして説明する。ＣＰＵ４０１のＣＬＫ（ｃｌｏｃｋ；クロック）ポートからは、インバータトランス駆動用クロック（ＣＬＫ）を出力する。
【００６３】
トランジスタ４０３のベースに接続される抵抗４０２はプルアップ抵抗である。トランジスタ４０３のコレクタは抵抗４０４，４０５に接続され且つインバータトランス駆動用素子であるＦＥＴ（ｆｉｅｌｄ−ｅｆｆｅｃｔ　ｔｒａｎｓｉｓｔｏｒ；電界効果トランジスタ）４０７のゲートに接続される。ＦＥＴ４０７のゲート電圧は本実施形態では、抵抗４０４，４０５により１０Ｖに設定されている。このＦＥＴ４０７により駆動されるインバータトランス４１１には、抵抗４０８を介して２４Ｖが印加されている。この抵抗４０８とインバータトランス４１１との間には、コンデンサ４０９及びダイオード４１０が介在されている。
【００６４】
インバータトランス４１１の出力端子には、ダイオード４１２、抵抗４１３，４１４，４１５、コンデンサ４１６，４１７が接続され、高圧出力電圧の整流及び高圧出力電圧の検出を行なっている。この電圧検出値は、コンパレータ４２８の非反転入力端子に入力され、該コンパレータ４２８の反転入力端子にはローパスフィルタ２３８の出力端子が接続されている。
【００６５】
コンパレータ４２８の出力は、抵抗４２９，４３０にて電圧を規制され、トランジスタ４０６のベースに入力される。コンパレータ４２８は、ダイオード４１２、抵抗４１３，４１４，４１５により構成された電圧検出回路４６０からの電圧とローパスフィルタ２３８からの電圧とを比較して、インバータトランス４１１駆動用のＦＥＴ４０７をオン／オフすることで、高圧出力電圧をローパスフィルタ２３８の電圧に従った値の正弦波出力とするように動作する。
【００６６】
図５は、各部の波形を示す図であり、同図（ａ）はローパスフィルタ２３８の出力Ｖｏの波形、同図（ｂ）はインバータトランス４１１の出力ＨＶ１の波形である。
【００６７】
前述した動作によって、このインバータトランス４１１の出力ＨＶ１は、図５（ｂ）の一点鎖線で示す波形になるはずであるが、電圧検出回路４６０に接続されているコンデンサ４１６，４１７、直流電圧とのカップリングコンデンサ４３１及び負荷容量の影響により、図５（ｂ）の実線で示す波形が現れてしまう。
【００６８】
そこで、本実施の形態では、抵抗４１８，４１９，４２３，４２４，４２５、高圧トランジスタ４２０，４２１、トランジスタ４２６、ダイオード４２７により構成される波形整形回路４６１を設ける。この波形整形回路４６１の入力にはローパスフィルタ２３８からの正弦波出力を用いる。この波形整形回路４６１にて電圧検出回路４６０、負荷に代表される容量性負荷によりホールドされた電圧部分を整形している。
【００６９】
電圧検出回路４６０からの出力をオペアンプ４５６の非反転入力端子に入力し、該オペアンプ４５６の反転入力端子にローパスフィルタ２３８の出力を入力することにより、電圧検出回路４６０の電圧がローパスフィルタ２３８の出力電圧よりも上回った分だけ波形整形回路４６１の高圧トランジスタ４２０，４２１をオンさせて、出力波形をローパスフィルタ２３８の正弦波の波形に整形する。このような波形整形回路４６１を付加することで、図５（ｃ）に示すような高圧出力ＨＶｏの生成が可能になった。
【００７０】
また、コンデンサ４３１にて直流高圧電源であるＤＣ高圧発生回路２３０と接続することで、図５（ｄ）に示すように、出力ＨＶｏｕｔとして、直流高圧電源の電圧ＨＶｄｃを中心にＡＣ高圧電圧ＨＶａｃを重畳することが可能となる。
【００７１】
図４において、４６２はサージ保護抵抗で、帯電ローラ２３６とＤＣ高圧電圧発生回路２３０との間に介装され、該帯電ローラ２３６が当接している感光ドラム２３７を均一な電位に帯電する。また、４５７はオペアンプ４５６の出力端子に接続された抵抗である。
【００７２】
このような回路構成とすることで、ＰＷＭ信号と簡素な構成のローパスフィルタ２３８、インバータトランス４１１の組み合わせにより実現でき、また、周波数を可変する場合においては、ＰＷＭ繰り返し周期を変更するだけで簡単に対応することができ、更に、どのような周波数に対してもローパスフィルタ２３８の構成部品の定数を変えることなく対応することができるため、安価で且つ汎用性に優れ、しかも画像品質を損なうことのないデータ形成装置を提供することが可能になった。
【００７３】
（第３の実施形態）
次に、本発明の第３の実施形態を説明する。
【００７４】
尚、本実施形態に係るデータ形成装置であるインラインカラー機及びその１色（１ステーション）の高圧電源部の制御回路の構成は、上述した第１の実施形態における図１及び図２と同一であるから、両図を流用して説明する。
【００７５】
本実施の形態では、ＰＷＭ出力生成のためのプログラム領域を減少させるようにしたものである。
【００７６】
上述した第１の実施形態においては、ＣＰＵ２０１のプログラム領域に１００％周波数、５０％周波数、２５％周波数に対応した３種類のデータテーブルを設け、それぞれのデータを格納していたが、本実施形態においては、２５％周波数に対応したデータが一番大きく且つ周波数生成のためのＰＷＭステップに関しても１００％周波数の４倍緻密であることに着目して、ＣＰＵ２０１に格納するデータは２５％周波数のデータのみとし、５０％、１００％周波数のＰＷＭ出力を行なう場合には、この２５％周波数のデータテーブルに一部を使用することを特徴とする。
【００７７】
このように２５％周波数に対応したデータの一部を利用して５０％、１００％周波数のＰＷＭデータを出力することで、ＣＰＵ２１０のプログラム領域を小さくすることができる。
【００７８】
（その他の実施の形態）
上述した各実施の形態では、ＣＰＵ（またはＡＳＩＣ）により制御を行なう場合について説明したが、これに限られるものではなく、ＤＳＰ（Ｄｉｇｉｔａｌ　Ｓｉｇｎａｌ　Ｐｒｏｃｅｓｓｏｒ）を用いて制御するようにしても良い。
【００７９】
また、上述した各実施の形態では、交流高圧出力検出をピークｔｏピーク出力で制御する場合について説明したが、ゼロｔｏピークまたは他の方法で制御するようにしても良い。
【００８０】
また、上述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【００８１】
この場合、記憶媒体から読み出されたプログラムコード自体が上述した各実施の形態の機能を実現することになり、そのプログラムコードを記憶した記憶媒体は本発明を構成することになる。
【００８２】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【００８３】
また、コンピュータが読み出したプログラムコードを実行することにより、上述した各実施の形態の機能が実現されるだけでなく、そのプログラムコードの指示に基づき、コンピュータ上で稼動しているＯＳ（オペレーティングシステム）等が実際の処理の一部または全部を行ない、その処理によって上述した各実施の形態の機能が実現される場合も含まれることは言うまでもない。
【００８４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行ない、その処理によって上述した各実施の形態の機能が実現される場合も含まれることは言うまでもない。
【００８５】
【発明の効果】
以上詳述したように本発明によれば、ＰＷＭ信号出力手段から出力されるＰＷＭ信号により波形整形手段で高電圧交流出力の周波数に波形整形を行ない、高電圧発生手段により高圧交流電圧を出力するので、１つの波形整形手段で複数の周波数に対応した正弦波高圧出力が可能となり、安価で且つ良好なデータ（画像）品質を安定的に保つことができる。
【図面の簡単な説明】
【図１】本発明の第１の実施形態に係るデータ形成装置であるインラインカラー機の概略構成を示す図である。
【図２】本発明の第１の実施形態に係るデータ形成装置であるインラインカラー機における１色（１ステーション）の高圧電源部の制御回路構成を示すブロック図である。
【図３】本発明の第１の実施形態に係るデータ形成装置であるインラインカラー機におけるＰＷＭ、正弦波出力を示す図である。
【図４】本発明の第２の実施形態に係る画像形成装置であるインラインカラー機における１色（１ステーション）の高圧電源部の制御回路構成を示すブロック図である。
【図５】本発明の第２の実施形態に係るデータ形成装置であるインラインカラー機における各部の出力波形を示す図である。
【図６】従来のデータ形成装置であるインラインカラー機における１色（１ステーション）の高圧電源部の制御回路構成を示すブロック図である。
【図７】従来のデータ形成装置であるインラインカラー機における各部の出力波形を示す図である。
【符号の説明】
１００　　　　　制御部
１００ａ　　　　高圧電源部
１０１　　　　　収納部
１０２　　　　　記録部材
１０３　　　　　手差し台
１０４　　　　　記録部材
１０５Ｙ　　　　感光ドラム
１０５Ｍ　　　　感光ドラム
１０５Ｃ　　　　感光ドラム
１０５Ｋ　　　　感光ドラム
１０５Ｙａ　　　転写部材
１０５Ｍ　ａ　　転写部材
１０５Ｃａ　　　転写部材
１０５Ｋａ　　　転写部材
１０６　　　　　画像濃度検出センサ
１０７Ｙ　　　　帯電器
１０７Ｍ　　　　帯電器
１０７Ｃ　　　　帯電器
１０７Ｋ　　　　帯電器
１０７ＹＳ　　　帯電ローラ
１０７ＭＳ　　　帯電ローラ
１０７ＣＳ　　　帯電ローラ
１０７ＫＳ　　　帯電ローラ
１０８Ｙ　　　　現像器
１０８Ｍ　　　　現像器
１０８Ｃ　　　　現像器
１０８Ｋ　　　　現像器
１０８ＹＳ　　　現像スリーブ
１０８ＭＳ　　　現像スリーブ
１０８ＣＳ　　　現像スリーブ
１０８ＫＳ　　　現像スリーブ
１０９ａ　　　　転写部材
１０９ｂ　　　　不使用時位置にある転写部材
１１０Ｙ　　　　露光光学ユニット
１１０Ｍ　　　　露光光学ユニット
１１０Ｃ　　　　露光光学ユニット
１１０Ｋ　　　　露光光学ユニット
１１１Ｙ　　　　光学ユニット
１１１Ｍ　　　　光学ユニット
１１１Ｃ　　　　光学ユニット
１１１Ｋ　　　　光学ユニット
１１２　　　　　中間転写体
１１３　　　　　定着ユニット
１１４　　　　　定着ローラ
１１５　　　　　加圧ローラ
１１６　　　　　ヒータ
１１７　　　　　ヒータ
１１８　　　　　駆動ローラ
１１９　　　　　記録部材検出レバー
１２０　　　　　記録部材後端検出レバー
１２１　　　　　（クリーナ）
１２２　　　　　ヒータ
１２３　　　　　規制板
１２４　　　　　規制板
２０１　　　　　ＣＰＵ（中央演算処理装置）またはＡＳＩＣ（特定用途向け集積回路）
２０２　　　　　　オペアンプ
２０３　　　　　　コンデンサ
２０４　　　　　　出力制限抵抗
２０５　　　　　　トランジスタ
２０６　　　　　　抵抗
２０７　　　　　　抵抗
２０８　　　　　　コンデンサ
２０９　　　　　　コンデンサ
２１０　　　　　　オペアンプ
２１１　　　　　　抵抗
２１２　　　　　　抵抗
２１３　　　　　　コンデンサ
２１４　　　　　　抵抗
２１５　　　　　　ダイオード
２１６　　　　　　ダイオード
２１７　　　　　　ダイオード
２１８　　　　　　ダイオード
２１９　　　　　　抵抗
２２０　　　　　　コンデンサ
２２１　　　　　　コンデンサ
２２２　　　　　　トランジスタ
２２３　　　　　　抵抗
２２４　　　　　　抵抗
２２５　　　　　　トランジスタ
２２６　　　　　　コンデンサ
２２７　　　　　　高圧トランス
２２８　　　　　　サージ保護抵抗
２２９　　　　　　抵抗
２３０　　　　　　高電圧発生回路
２３１　　　　　　高圧コンデンサ
２３２　　　　　　ダイオード
２３３　　　　　　ダイオード
２３４　　　　　　コンデンサ
２３５　　　　　　抵抗
２３６　　　　　　帯電ローラ
２３７　　　　　　感光ドラム
２３８　　　　　　ローパスフィルタ
２３９　　　　　　ドライバ部
２４０　　　　　　高圧出力電圧検出部
２４１　　　　　　抵抗
４０１　　　　　　ＣＰＵ（またはＡＳＩＣ）
４０２　　　　　　抵抗
４０３　　　　　　トランジスタ
４０４　　　　　　抵抗
４０５　　　　　　抵抗
４０６　　　　　　トランジスタ
４０７　　　　　　ＦＥＴ
４０８　　　　　　抵抗
４０９　　　　　　コンデンサ
４１０　　　　　　ダイオード
４１１　　　　　　インバータトランス
４１２　　　　　　ダイオード
４１３　　　　　　抵抗
４１４　　　　　　抵抗
４１５　　　　　　抵抗
４１６　　　　　　コンデンサ
４１７　　　　　　コンデンサ
４１８　　　　　　抵抗
４１９　　　　　　抵抗
４２０　　　　　　トランジスタ
４２１　　　　　　トランジスタ
４２３　　　　　　抵抗
４２４　　　　　　抵抗
４２５　　　　　　抵抗
４２６　　　　　　トランジスタ
４２７　　　　　　ダイオード
４２８　　　　　　コンパレータ
４２９　　　　　　抵抗
４３０　　　　　　抵抗
４３１　　　　　　コンデンサ
４５６　　　　　　コンパレータ
４５７　　　　　　抵抗
４６０　　　　　　電圧検出回路
４６１　　　　　　波形整形回路
【図１】
2004101915.tif 000003
【図２】
2004101915.tif 000004
【図３】
2004101915.tif 000005
【図４】
2004101915.tif 000006
【図５】
2004101915.tif 000007
【図６】
2004101915.tif 000008
【図７】
2004101915.tif 000009